(57)【要約】【課題】腕時計のバンドで、人の肌にアレルギー症状を呈する問題を解決する。【解決手段】腕時計用バンドに人の肌にアレルギーを生じさせない材料（例とえば、トルマリン石）を数珠状に配置してバンド状を形成することによって、これらの問題点を解決する。そのためには、耐久性、伸縮性などに優れた糸状のポリウレタン弾性繊維で使用部品（使用物体）を一体化形成してバンドを形成する。【選択図】        図１
2004321517.tif 000002
【特許請求の範囲】
【請求項１】
腕時計用バンド（１）において、
直方体、球体、円柱体、半球体、半円柱体などの形状の各種部品の少なくとも一種と取付具（２）に孔（５、５１、５２、５３）を空け、
これらの前記各種部品を数珠状に配置してその端に前記取付具（２）を配置し、これらの前記各種部品と前記取付具（２）に糸状の弾性繊維（６）を挿通すことによって一体化してバンド（１）を形成する
ことを特徴とする腕時計用バンド。
【請求項２】
請求項１において、
直方体、球体、円柱体、半球体、半円柱体などの形状の前記各種部品又は前記取付具（２）のうち、少なくとも１種をトルマリン石で形成する
ことを特徴とする腕時計用バンド。
【請求項３】
請求項１において、
前記取付具（２）の材料として貴石、貴金属、象牙などの非アレルギー物質を使用する
ことを特徴とする腕時計用バンド。
【請求項４】
腕時計用バンド（１）の取付具（２）において、
バネ棒（９）を貫通する孔（５１）を形成するとともに、
糸状の弾性繊維（６）が前記取付具（２）内をコの字状に配糸する孔を有する
ことを特徴とする腕時計用バンドの取付具。
【請求項５】
請求項４において、
コの字状の前記孔の中央部分は、一方が外方に晒されている
ことを特徴とする腕時計用バンドの取付具。
【発明の詳細な説明】
【０００１】
【発明の属する技術分野】本発明は、腕時計用バンド及びその取付具に関する。
【０００２】
【従来技術】腕時計用バンドは、一般的には、金属製、皮革製、合成樹脂製などが使われている。金属製のバンドは、金属製のコマをピンやバネなどを用いて連結した構成と成っている。また、皮革製バンドは、動物の皮を使ったものである。さらにまた、合成樹脂製は、合成樹脂で皮革などに似せて作ったものである。
これらの腕時計用バンドの端を時計のケースにバネ棒で取り付けて使用している。
【０００３】
【発明が解決しようとする課題】ところが、上述したような各種バンドでは、人の肌に直接触れるために、個人差はあるが人によっては各種アレルギー症状がでる。金属については、金属アレルギーであり、皮革製品については、残留化学薬品などがその原因である。
【０００４】
【課題を解決するための手段】上記問題を解決するため、本発明は、従来のバンド材料に比して、人の皮膚に対してアレルギー症状の出にくい材料、例えば、トルマリン石を使用する。それに伴って、腕時計ケースに取り付けるバンドの取付具もそれに合わせて改良した。
【０００５】
【作用】本発明によれば、従来の腕時計のバンドに比較して、アレルギー症状が出にくいし、ファッション性も取り入れることができる。
【０００６】
【発明の実施の形態】
本発明者は、従来技術とその問題点を詳細に検討した結果、以下の経緯により本発明を完成するに至った。
実施例１
【０００７】
＜腕時計用バンド１＞
図１は、本発明による腕時計用バンド１である。
２つの貫通孔５を作成した半円柱体３と１つの貫通孔５を作成した球体４を相互に図のように配置する。
それらの孔５に糸状のポリウレタン弾性繊維６（後述）を挿通して、ほぼ中央部分で繊維の端を結ぶ（図示せず）ことによって、前記半円柱体３、前記球体４と取付具２（後述）を一体化形成する。
前記ポリウレタン弾性繊維６は、ゴムのように弾力性を持っているため、各人の腕周りの多少の大小には容易に対応できるようになっている。
【０００８】
図２に示すように、腕時計用バンド１は、その端に取付具２を有していて、腕時計１０のケース１１にバネ棒９を貫通孔５１に通すことによって、固定される。
【０００９】
＜トルマリン石＞
半円柱体３と球体４は、トルマリン石で作る。
その効能については、各種の文献で発表されている。人の肌にふれても、アレルギー症状を呈さない利点がある。
トルマリン石は、電気を発生させることから、電気石とも呼称され、常温においてマイナスイオン、中間赤外線あるいは微弱電流を発生するなどである（実用新案登録公報３０８７２２９号）。
他にも、トルマリンの効能並びにその応用については、実用新案登録３０２８７３８号、同３０３６６７７号、同３０８６０３３号に述べられている。
【００１０】
＜ポリウレタン弾性繊維６＞
ポリウレタン弾性繊維６は、米国ヂュポン社が開発したものでＬＹＣＲＡ（登録商標）として販売されている。
該ポリウレタン弾性繊維６は、化学繊維で「クモの糸のように細く、ゴム糸のように伸び縮みする繊維」と言われている。
前記ＬＹＣＲＡは、伸縮性、耐久性、均一性などの特徴を持っている。
本発明では、既述したように、半円柱体３、球体４と取付具２に１本のＬＹＣＲＡを通して各種部品を一体化して、腕時計用バンドを完成したものである。
図３で、バンド１を構成する半円柱体３と球体４の一部を取り除いたものを示して、前記ポリウレタン弾性繊維６の構成作用を表示した。
【００１１】
＜取付具２＞
取付具２を図４に示した。
材質としては、トルマリン石を使用してもよいし、フャッション性を増すためには、貴石、貴金属、象牙などを使用することも可能である。
形状は、従来の腕時計ケースに嵌るもので、バネ棒９を孔５１に貫通させる。さらに、糸状の前記ポリウレタン弾性繊維６が通る孔を図４（ａ）のようにコの字状に空ける。
該コの字上の貫通孔の作り方は、まず孔５２，５３を一方より切削加工し、９０度の別の方向から該孔５２，５３と交わるまで切削して、開口部２２２をつくる（同図［ｂ］）。
糸状の前記ポリウレタン弾性繊維６を取付具２に通すためには、荷札などの使用する細い針金でガイドすると簡単に該繊維を導くことができる。その際、前記開口部２２２は、前記ポリウレタン弾性繊維６を取付具２の孔に通す際の前記針金の誘導作業をしやすくする効果もある。
＜孔５＞
図５は、ベルトを構成する各種部品の孔５の空けた状態を示したものである。
図５（ａ）は、半円柱体３に２つの孔５を空けた状態を示したものである。この孔５に前記ポリウレタン弾性繊維６を挿通する。
図５（ｂ）は、球体４に１つの孔５を空けた状態を示したものである。この孔５に前記ポリウレタン弾性繊維６を挿通する。
【００１２】
実施例２
実施例１では、糸状のポリウレタン弾性繊維６を前記半円柱体３、前記球体４と前記取付具に通して部品を一体化することによって、腕時計用のバンドを作成した例を示した。
ポリウレタン弾性繊維と同様な特徴を有する材料より成る糸状のものを、前記半円柱体３、前記球体４と前記取付具の孔５に挿通することによって各種部品と取付具を一体化することによっても、実施例１と同様な効果が計れる。
その余の事項は、実施例１と同じ。
【００１３】
実施例３
実施例１では、半円柱体、球形などの各種部品（３，４）でバンド状を形成した例について示したが、これら各種部品でバンド状が形成できる他の形状（例、円柱体、半球体）のもので数珠状にして行うこともできる。
その余の事項は、実施例１と同じ。
【００１４】
実施例４
実施例１では、半円柱体、球体などの各種部品（３，４）、並びに取付具２をトルマリン石を使用する例を示した。しかし、固体であれば、どのようなものでも加工可能であり、腕時計バンドとして利用できる。
その余の事項は、実施例１と同じ。
【００１５】
実施例５
実施例１では、既存の腕時計１０並びにケース１１を念頭において、本件発明、つまり、取付具２を説明した。
流行によっては、変形された腕時計が考えられ、それによってケース１１も変形したものが考えられる。
本件発明は、それらにも応用できるものである。
その余の事項は、実施例１と同じ。
【００１６】
【発明の効果】
本発明によると、腕時計のバンドによるアレルギー疾患のある人には、材質選定により問題がなくなる。
また、本発明によると、腕時計用バンドとして、固体であればどのようなものでも、使用可能である。
さらにまた、本発明によると、腕時計のバンドにファッション性をも持たせることができる。
さらにまた、本発明によると、１つの時計（カバー）に複数のバンドを用意して、日替わりでバンドの色を変えることができる。
【図面の簡単な説明】
【図１】本発明の腕時計用バンドである。（ａ）は表側であり、（ｂ）裏側である。
【図２】本発明の腕時計用バンドを腕時計に取り付ける各種部品の配置を示したものである。
【図３】本発明の腕時計用バンドを腕時計に取り付けた状態を示したものであり、弾性繊維の取付状態を示すために、各種部品を部分的に省いたものである。
【図４】本発明の腕時計用バンドを腕時計に取り付ける取付具を示したものである。（ａ）は表側であり、（ｂ）裏側である。
【図５】本発明の腕時計用バンドを構成する各種部品に孔を空けた状態を示したものである。（ａ）は半円柱体であり、（ｂ）は球体である。
【符号の説明】
１  腕時計用バンド
２、２１、２２  取付具
２２２  外方に晒された取付具の溝
３、３１〜３６  直方形の部品
４  球形の部品
５  孔
５１、５２、５３  取付具の孔
６  糸状のポリウレタン弾性繊維
９  バネ棒
１０  時計
１１  時計ケース
【図１】
2004321517.tif 000003
【図２】
2004321517.tif 000004
【図３】
2004321517.tif 000005
【図４】
2004321517.tif 000006
【図５】
2004321517.tif 000007